(57)【要約】【課題】電動工具へ装着した状態でも照明機能を発揮させる。【解決手段】電動工具用集塵装置４０は、ライト３１を備えたハンマードリル１に装着可能な本体ケース４１に、被加工面に当接させてハンマードリル１の先端工具Ｔが貫通可能な筒状の吸込口が前方へ突設される一方、本体ケース４１内には、吸込口から空気を吸い込んで本体ケース４１に設けたダストボックス４２内に導く集塵経路Ｒ１が形成されて、ダストボックス４２内に設けたフィルタ８１によって空気と共に吸い込んだ粉塵を捕捉可能としており、本体ケース４１には、ハンマードリル１に装着した状態でライト３１からの光を前面へ導いて前方へ向けて照射可能な光ファイバーケーブル６２が設けられている。【選択図】図２
2019181605.tif 000002
【特許請求の範囲】
【請求項１】
照明部を備えた電動工具に装着可能な本体ケースに、被加工面に当接させて前記電動工具の先端工具が貫通可能な筒状の吸込口が前方へ突設される一方、前記本体ケース内に、前記吸込口から空気を吸い込んで前記本体ケースに設けた集塵部内に導く集塵経路が形成されて、前記集塵部内に設けたフィルタによって前記空気と共に吸い込んだ粉塵を捕捉可能とした電動工具用集塵装置であって、
前記電動工具に装着した状態で前記照明部からの光を所定の位置へ導いて前方へ向けて照射可能な導光手段が設けられていることを特徴とする電動工具用集塵装置。
【請求項２】
前記導光手段によって光を導く位置は、前記本体ケースの前面であることを特徴とする請求項１に記載の電動工具用集塵装置。
【請求項３】
前記導光手段によって光を導く位置は、前記本体ケースの少なくとも左右何れか一方の側面であることを特徴とする請求項１又は２に記載の電動工具用集塵装置。
【請求項４】
前記導光手段は光ファイバーであることを特徴とする請求項１乃至３の何れかに記載の電動工具用集塵装置。
【請求項５】
前記光ファイバーは複数本を束ねて設けられ、前記照明部側では、前記光ファイバーの端部を寄せ集めて前記照明部と対峙可能に保持する受光部が形成され、前方への照射側では、前記光ファイバーの端部を左右方向に並べて保持する投光部が形成されていることを特徴とする請求項４に記載の電動工具用集塵装置。
【請求項６】
照明部を備え、請求項１乃至５の何れかに記載の電動工具用集塵装置を装着してなる電動工具。
【発明の詳細な説明】
【技術分野】
【０００１】
本発明は、電動ドリルやハンマードリル等の電動工具に装着される電動工具用集塵装置と、その電動工具用集塵装置を装着した電動工具とに関する。
【背景技術】
【０００２】
電動ドリルやハンマードリル等の電動工具には、穿孔作業等の際に被加工材から発生する粉塵を集塵して回収する電動工具用集塵装置が装着される。すなわち、電動工具用集塵装置の本体ケース内部に粉塵を含む空気を吸い込んでダストボックス等の集塵部に設けたフィルタを通過させることで、フィルタで粉塵を捕捉して集塵部に貯留する構造である。
一方、電動工具側には、先端工具の前方を照射するライトが前面に設けられることがあるが、電動工具用集塵装置は電動工具の前面側に装着されることが多いため、ライトが隠れてしまう。これを鑑み、例えば特許文献１には、電動工具用集塵装置の背面にライトの光を検知するフォトダイオードを設けて、受光の有無によって集塵用モータをＯＮ／ＯＦＦさせるようにした発明が開示されている。
【先行技術文献】
【特許文献】
【０００３】
【特許文献１】特開２０１０−２７４３７４号公報
【発明の概要】
【発明が解決しようとする課題】
【０００４】
しかし、特許文献１の発明は、電動工具用集塵装置の集塵用モータを電動工具と連動して作動させるため、電動工具の作動検知にライトを利用したもので、電動工具用集塵装置の装着によって被加工面への照明機能が失われることに変わりはない。
【０００５】
そこで、本発明は、電動工具へ装着した状態でも照明機能を発揮させることができる電動工具用集塵装置及び電動工具を提供することを目的としたものである。
【課題を解決するための手段】
【０００６】
上記目的を達成するために、請求項１に記載の発明は、照明部を備えた電動工具に装着可能な本体ケースに、被加工面に当接させて電動工具の先端工具が貫通可能な筒状の吸込口が前方へ突設される一方、本体ケース内に、吸込口から空気を吸い込んで本体ケースに設けた集塵部内に導く集塵経路が形成されて、集塵部内に設けたフィルタによって空気と共に吸い込んだ粉塵を捕捉可能とした電動工具用集塵装置であって、
電動工具に装着した状態で照明部からの光を所定の位置へ導いて前方へ向けて照射可能な導光手段が設けられていることを特徴とする。
請求項２に記載の発明は、請求項１の構成において、導光手段によって光を導く位置は、本体ケースの前面であることを特徴とする。
請求項３に記載の発明は、請求項１又は２の構成において、導光手段によって光を導く位置は、本体ケースの少なくとも左右何れか一方の側面であることを特徴とする。
請求項４に記載の発明は、請求項１乃至３の何れかの構成において、導光手段は光ファイバーであることを特徴とする。
請求項５に記載の発明は、請求項４の構成において、光ファイバーは複数本を束ねて設けられ、照明部側では、光ファイバーの端部を寄せ集めて照明部と対峙可能に保持する受光部が形成され、前方への照射側では、光ファイバーの端部を左右方向に並べて保持する投光部が形成されていることを特徴とする。
上記目的を達成するために、請求項６に記載の発明は、照明部を備えた電動工具であって、請求項１乃至５の何れかに記載の電動工具用集塵装置を装着してなることを特徴とする。
【発明の効果】
【０００７】
請求項１及び６に記載の発明によれば、電動工具用集塵装置に、電動工具に装着した状態で照明部からの光を所定の位置へ導いて前方へ向けて照射可能な導光手段が設けられているので、電動工具へ装着した状態であっても照明機能を発揮させることができる。よって、暗い場所での作業性が向上する。
請求項２に記載の発明によれば、上記効果に加えて、導光手段によって光を導く位置を本体ケースの前面としているので、被加工面を効果的に照射可能となる。
請求項３に記載の発明によれば、上記効果に加えて、導光手段によって光を導く位置を本体ケースの少なくとも左右何れか一方側としているので、本体ケースの扱いの邪魔にならない位置から光を照射することができる。
請求項４に記載の発明によれば、上記効果に加えて、導光手段を光ファイバーとしたことで、導光手段が簡単に形成可能となる。
請求項５に記載の発明によれば、上記効果に加えて、複数の光ファイバーを束ねて照明部と対峙する受光部と光ファイバーの端部が左右に並ぶ投光部とを形成したことで、照明部からの光を受光部で効率よく受けて投光部へ導くことができると共に、幅広の投光部による効果的な照明が可能となる。
【図面の簡単な説明】
【０００８】
【図１】ハンマードリルに電動工具用集塵装置を装着した状態を前方から示す斜視図である。
【図２】ハンマードリルに電動工具用集塵装置を装着した状態の中央縦断面図である。
【図３】電動工具用集塵装置の前方からの斜視図である。
【図４】電動工具用集塵装置の後方からの斜視図である。
【図５】電動工具用集塵装置の中央縦断面図である。
【図６】（Ａ）は図３のＡ部拡大図、（Ｂ）は図４のＢ部拡大図である。
【図７】ハンマードリルに変更例の電動工具用集塵装置を装着した状態を前方から示す斜視図である。
【図８】ハンマードリルに変更例の電動工具用集塵装置を装着した状態の正面図である。
【図９】（Ａ）は図７のＣ部拡大図、（Ｂ）は図８のＤ部拡大図である。
【発明を実施するための形態】
【０００９】
以下、本発明の実施の形態を図面に基づいて説明する。
図１は、電動工具であるハンマードリル１に電動工具用集塵装置（以下単に「集塵装置」という。）４０を装着した一例を示す前方からの斜視図、図２は中央縦断面図である。
（ハンマードリルの説明）
ハンマードリル１は、本体ハウジング２の前側下部に、出力軸５を上向きにしたモータ４を収容するモータハウジング３を上下方向に連結し、その上方に、それぞれ出力軸５と噛合するクランクシャフト７及び中間シャフト８を収容したギアハウジング６を内設している。ギアハウジング６の前側には、ツールホルダ１０を前向きに収容する前ハウジング９を組み付けて、本体ハウジング２の後部に、側面視コ字状のハンドルハウジング１１を連結している。前ハウジング９にはハウジングカバー９ａが外装されている。ツールホルダ１０の先端には、操作スリーブ１２によってドリルビット等の先端工具Ｔが装着可能となっている。ハンドルハウジング１１には、スイッチ１３及びスイッチレバー１４が設けられ、下部には電源コード１５が接続されている。
【００１０】
ツールホルダ１０には、クランクシャフト７の偏心ピン１６に連結されるコネクティングロッド１７によって往復動するピストン１８が設けられると共に、その前方に空気室１９を介して打撃子２０が収容され、その前方に中間子２１が収容されて打撃機構が形成されている。中間シャフト８は、ツールホルダ１０の後端に設けられたベベルギア２２と噛合している。ここでは本体ハウジング２の左側面に設けられた図示しないチェンジレバーにより、クランクシャフト７を回転させて先端工具Ｔに打撃を付与するハンマモード、中間シャフト８を回転させてツールホルダ１０と共に先端工具Ｔを回転させるドリルモード、クランクシャフト７と中間シャフト８とを同時に動作させて先端工具Ｔに打撃と回転とを付与するハンマドリルモードとが選択可能となっている。
【００１１】
モータハウジング３内には、モータ４の出力軸５に設けたファン２４を収容するファン収容室２３が形成され、モータハウジング３の前面には、ファン収容室２３と連通する上側吸気口２５が形成されている。本体ハウジング２の下部背面には、図示しない下側吸気口が形成されている。上側吸気口２５には、内側から上側吸気口２５を閉塞するシャッタ２６が、閉塞位置に付勢されて設けられている。また、本体ハウジング２の左右の側面には、本体ハウジング２とギアハウジング６との間を通ってファン収容室２３と連通する側面排気口２７，２７・・が形成されている。
さらに、モータハウジング３の前側下部で左右には、集塵装置４０を装着するための図示しない受け部が設けられ、ハウジングカバー９ａの下面には、下向きに爪２８が突設されている。
【００１２】
そして、モータハウジング３の前面下部には、前方へ張り出す膨出部２９が形成され、その膨出部２９の上部に設けた前下がりの傾斜部分３０には、ＬＥＤを用いたライト３１が、操作スリーブ１２の前方を向いた傾斜姿勢で設けられている。また、モータハウジング３の後方で本体ハウジング２内には、回路基板を有するコントローラ３２が縦向きに収容されている。
【００１３】
（集塵装置の説明）
集塵装置４０は、図３〜５にも示すように、ハンマードリル１へ装着される本体ケース４１と、本体ケース４１へ着脱可能に装着される集塵部としてのダストボックス４２と、本体ケース４１に連結されて先端にノズル４４を備えたスライド部４３とからなる。
まず本体ケース４１は、前側がダストボックス４２の装着部、後側がハンマードリル１への装着部となる縦長板状の後側部４５の上端に、前向きに上側部４６を設けた側面視逆Ｌ字状で、後側部４５におけるハンマードリル１の上側吸気口２５に対応する位置には、四角穴４７が貫通形成されている。後側部４５の左右には、側板部４８，４８が設けられ、後側部４５の後方で側板部４８，４８の下部内面には、ハンマードリル１のモータハウジング３に設けられた受け部に係合する係止軸４９，４９が突設されている。
また、後側部４５の背面下部には、モータハウジング３の膨出部２９に対応して前方へ凹み、上面が傾斜部分３０と同じ前下がりの傾斜内面５１となる凹部５０が形成されている。
【００１４】
一方、上側部４６の上面には、ハンマードリル１への装着時にハウジングカバー９ａの爪２８を受け入れるガイド溝５２が前後方向に凹設されており、ガイド溝５２の下方で上側部４６の内部には、揺動板５３が横向きに設けられている。この揺動板５３は、前端が上側部４６内で回転可能に支持されることで上下へ揺動可能で、後端には、フック５４が上向きに設けられて、ガイド溝５２内に出没可能となっている。この揺動板５３は、コイルバネ５５により、フック５４がガイド溝５２内に突出する上方位置に付勢されている。揺動板５３の中央部上面には、ボタン部５６が設けられて、上側部４６の上面に突出している。よって、ボタン部５６の押し込み操作によって揺動板５３を下方位置に揺動させれば、フック５４をガイド溝５２から下方へ退避させることができる。
また、上側部４６の前側下面には、ダストボックス４２の後述する着脱用係止爪９０が弾性係止する係止段部５７が形成され、後側部４５の下側前面には、ダストボックス４２の受け凹部８７が嵌合可能な軸部５８が左右方向に形成されている。
【００１５】
さらに、本体ケース４１の左側面には、上端が上側部４６の上面より突出して前向きに開口し、下端が後側部４５の左側面で前向きに開口する中間筒５９が一体に設けられている。
加えて、本体ケース４１の左側面上側で中間筒５９の前方には、支持アーム６０が設けられている。この支持アーム６０は、本体ケース４１から斜め前方へ突出し、上面に固定されたガイド金具６１を介してスライド部４３をスライド可能に支持するもので、支持アーム６０の先端は、スライド部４３の左外側へ回り込んで上向きとなる図示しない中ストッパとなっている。
【００１６】
そして、本体ケース４１内には、後側部４５の背面から上側部４６の前面に至る光ファイバーケーブル６２が配設されている。この光ファイバーケーブル６２は、図６に示すように、導光手段としての光ファイバー６３，６３・・を、複数本（ここでは４本）束ねて形成されるもので、後側部４５の背面側では、図６（Ｂ）にも示すように、各光ファイバー６３の後端が四角形状に並んだ状態で絶縁材料により保持されることで、光ファイバー６３が寄せ集められた受光部６４が形成されている。この受光部６４は、凹部５０の傾斜内面５１に露出して、集塵装置４０をハンマードリル１へ装着した状態でライト３１に非接触で対峙する位置に配置されている。
また、光ファイバーケーブル６２は、受光部６４から後側部４５内を通って上方へ引き回された後、上側部４６内では揺動板５３の左側を通って前方へ引き回され、上側部４６の前面では、図６（Ａ）に示すように、各光ファイバー６３の前端が左右方向へ一列に並んだ状態で絶縁材料により保持されることで、左右に幅広の投光部６５が形成されている。この投光部６５は、上側部４６の前面から斜め上向きに突出し、ハンマードリル１への装着状態で先端工具Ｔの前方を照射する向きに配置されている。
【００１７】
一方、スライド部４３は、前端にノズル４４が右側へ略直角に連結される中空の筒状体で、右側面には、前後方向にスリット７０が形成されて、下面には、横断面逆Ｔ字状のガイドレール７１が長手方向に沿って一体に設けられている。このガイドレール７１がガイド金具６１によって前後方向へスライド可能に支持されることで、スライド部４３は前後へスライド可能となっている。
ノズル４４の基端は、スライド部４３の内部に突出して、スライド部４３内に設けられた蛇腹状のフレキシブルホース７２の前端が接続されている。フレキシブルホース７２の後端は、中間筒５９の上端に接続されている。ノズル４４の先端には、先端工具Ｔが貫通するリング状の吸込口７３が形成されている。
【００１８】
また、スライド部４３の左側面には、全長に亘って図示しないレールが平行に設けられて、レールに上下から係合してレールに沿って摺動可能な前ストッパ７４及び後ストッパ７５が、支持アーム６０の中ストッパを挟んで前後に設けられて、任意の位置で固定可能となっている。
よって、スライド部４３は、ガイド金具６１によってガイドレール７１を介して回転を規制された状態で、前後ストッパ７４，７５が中ストッパに当接する範囲で本体ケース４１の上方左側で前後移動可能に保持される。このスライド部４３の前後移動に伴い、フレキシブルホース７２はノズル４４の基端と中間筒５９の上端との間で伸縮することになる。但し、フレキシブルホース７２は、内部に図示しないワイヤをコイル状に埋設して、伸長方向への付勢力を生じさせていることから、常態でのスライド部４３は、フレキシブルホース７２により、後ストッパ７５が中ストッパに当接する前進位置へ付勢されることになる。
【００１９】
ダストボックス４２は、後面が開口する深底箱状のボックス本体７７と、そのボックス本体７７の開口側で且つ下側にヒンジ軸７８によって回転可能に結合される四角枠状の蓋体７９とを備えてなる。
蓋体７９には、ボックス本体７７の開口を閉じた状態でボックス本体７７内に突出し、紙製のフィルタ８１が収納されたフィルタ収納部８０が一体に設けられている。
また、蓋体７９には、角筒状の装置側排気口８２が後方へ突出形成されると共に、上面には、ボックス本体７７の上側で前方へ延びるループ部８３が形成されている。
さらに、装置側排気口８２内には、後向きの保持ボス８４が形成されて、保持ボス８４に、金属製の当接ピン８５が差し込まれて、装置側排気口８２及びその後端外周に設けたシール部材８６を貫通して後向きに突出している。装置側排気口８２は、保持ボス８４の下側からフィルタ収納部８０内に連通している。一方、蓋体７９の上部左側には、後端が開口し、集塵装置４０の本体ケース４１への結合状態で中間筒５９の下端と接続される図示しない四角筒が設けられてボックス本体７７内に突出している。
【００２０】
ボックス本体７７の下面には、ヒンジ軸７８と平行な受け凹部８７が形成され、ボックス本体７７の上面開口際には、蓋体７９を閉じた状態でループ部８３が弾性係止する蓋用係止爪８８が形成されている。同じくボックス本体７７の上面には、先端が倒Ｌ字状の弾性片となる操作部材８９が前向きに設けられている。この操作部材８９の上面には、着脱用係止爪９０が形成されている。また、ボックス本体７７の前面下部には、回転操作によってボックス本体７７に振動を付与可能な振動付与器９１が設けられている。
よって、蓋体７９によってボックス本体７７の開口を閉じると、ボックス本体７７内には、四角筒と連通する集塵室９２が形成される。
【００２１】
こうして形成されるダストボックス４２を、本体ケース４１の前方から、蓋体７９を後側、受け凹部８７を下側にした向きで軸部５８に受け凹部８７を係止させた状態で、軸部５８を中心として後方へ回転させるように本体ケース４１内に押し込む。すると、操作部材８９の着脱用係止爪９０が本体ケース４１の係止段部５７に係止してダストボックス４２が装着される。この状態で本体ケース４１の中間筒５９は、ダストボックス４２の四角筒の前端に接続されて連通すると共に、蓋体７９に設けた装置側排気口８２が、本体ケース４１の四角穴４７を貫通して後方へ突出する。よって、当接ピン８５も四角穴４７から後方へ突出することとなる。
【００２２】
（ハンマードリルへの集塵装置の装着）
以上の如く構成された集塵装置４０及びハンマードリル１においては、ダストボックス４２を装着した集塵装置４０をハンマードリル１に装着する場合、まず本体ケース４１の係止軸４９，４９を、モータハウジング３の受け部にそれぞれ係止させる。次に、その傾斜姿勢から、集塵装置４０の上側を後方へ押し上げるように回転させてハンマードリル１の前面に嵌合させると、揺動板５３のフック５４がハウジングカバー９ａの爪２８に当接して上側部４６のガイド溝５２に没入し、揺動板５３を下方位置へ揺動させる。フック５４が爪２８を乗り越えると、揺動板５３が上方位置へ揺動してフック５４を上方へ突出させる。よって、フック５４が爪２８に係止して装着が完了する。
【００２３】
また、集塵装置４０の装着に伴い、本体ケース４１の四角穴４７を貫通して装置側排気口８２から突出している当接ピン８５が、上側吸気口２５を閉塞するシャッタ２６に当接し、図２に示すようにシャッタ２６を後方へ倒伏させて上側吸気口２５を開放させる。これと同時に装置側排気口８２のシール部材８６が上側吸気口２５の周囲に密着して、装置側排気口８２と上側吸気口２５とをシール状態で連通させる。よって、集塵装置４０の装着状態で、吸込口７３から、ノズル４４、スライド部４３内のフレキシブルホース７２、中間筒５９、ダストボックス４２のボックス本体７７内、フィルタ収納部８０を介して装置側排気口８２に至る集塵経路Ｒ１と、上側吸気口２５からファン収容室２３のファン２４に至る吸気経路Ｒ２とが接続されることになる。
そして、この装着状態で、前述のように光ファイバーケーブル６２の受光部６４がモータハウジング３に設けたライト３１に対峙することになる。
【００２４】
（先端工具による穿孔）
スライド部４３と共に突出付勢される吸込口７３に先端工具Ｔの先端が位置するように、スライド部４３のレール上での後ストッパ７５の初期位置を調整して、穿孔深さに合わせて前ストッパ７４の位置を調整する。また、チェンジレバーによってドリルモード或いはハンマドリルモードを選択する。
その後、吸込口７３を被加工面に当接させて、ハンマードリル１のスイッチレバー１４を押し込み操作してスイッチ１３をＯＮさせると、モータ４が駆動して出力軸５が回転する。よって、ツールホルダ１０と共に先端工具Ｔが回転して被加工面への穿孔が可能となり、穿孔が進むに連れて先端工具Ｔが吸込口７３を貫通してスライド部４３はフレキシブルホース７２の付勢に抗して支持アーム６０から相対的に後退する。
【００２５】
（ライトによる照明）
また、スイッチ１３のＯＮと共にコントローラ３２から通電されてライト３１が点灯する。ライト３１の前方には集塵装置４０が装着されているが、ライト３１には後側部４５の背面に設けた受光部６４が対峙しているので、ライト３１からの光は受光部６４で受光される。このとき、受光部６４では光ファイバー６３，６３・・の端部が四角形状に集中して配置されているので、ライト３１からの光を効率よく受光できる。
そして、受光された光は、各光ファイバー６３を通って前端へ導かれ、投光部６５から前方へ投光される。投光部６５は斜め上を向いているので、投光部６５からの光は先端工具Ｔによる被加工面に照射されることになる。また、投光部６５では光ファイバー６３，６３の端部が左右方向に並設されているので、幅広の光が照射され、被加工面を広い範囲で照明できる。
【００２６】
（集塵作用）
一方、出力軸５の回転によってファン２４が回転することで、モータハウジング３の下側吸気口から外気が吸い込まれ、モータ４を通過して冷却した後、ファン収容室２３を通って側面排気口２７から排出される。
同時に集塵装置４０の吸込口７３に吸引力が発生し、穿孔時に発生する粉塵と共に空気が吸込口７３から吸い込まれ、ノズル４４を介してフレキシブルホース７２を通り、中間筒５９からダストボックス４２内に入る。そして、空気はボックス本体７７に沿って流れ、フィルタ収納部８０の前側に回り込んでフィルタ８１の前方からフィルタ８１を通過する。よって、比較的大きな粉塵は、空気がボックス本体７７内を旋回する際に分離されてボックス本体７７の集塵室９２内に落下し、比較的小さな粉塵はフィルタ８１に捕捉されて落下するかそのままフィルタ８１の前側表面に付着する。フィルタ８１を通過した空気は、装置側排気口８２を通ってダストボックス４２の外部に排出され、上側吸気口２５からファン収容室２３に至り、側面排気口２７から排出される。
【００２７】
集塵装置４０を取り外す際には、ボタン部５６を押し込んで揺動板５３を下方位置へ揺動させてフック５４を爪２８から外し、そのまま集塵装置４０を前方へ倒すように回転させると、モータハウジング３の受け部から係止軸４９を外して取り外すことができる。この取り外しと同時に当接ピン８５が前方へ移動してシャッタ２６の押し込みを解除するため、シャッタ２６は起立位置へ復帰して上側吸気口２５を閉塞する。
ダストボックス４２からの粉塵の排出は、本体ケース４１の前方から、ボックス本体７７の操作部材８９の先端を押し込んで係止段部５７への着脱用係止爪９０の係止を解除すると、軸部５８を中心に前側へ傾動させてそのまま本体ケース４１から取り外すことができる。次に、蓋体７９のループ部８３を蓋用係止爪８８から外して蓋体７９をボックス本体７７から開放させれば、集塵室９２内に貯留した粉塵を排出することができる。
【００２８】
このように、上記形態の集塵装置４０及び集塵装置４０を装着したハンマードリル１によれば、集塵装置４０には、ハンマードリル１に装着した状態でライト３１からの光を所定の位置へ導いて前方へ向けて照射可能な導光手段（光ファイバー６３，６３・・）が設けられているので、ハンマードリル１へ集塵装置４０を装着した状態であっても照明機能を発揮させることができる。よって、暗い場所での作業性が向上する。
特にここでは、導光手段によって光を導く位置を本体ケース４１の前面としているので、被加工面を効果的に照射可能となる。
また、導光手段を光ファイバー６３としたことで、導光手段が簡単に形成可能となっている。
【００２９】
さらに、複数の光ファイバー６３，６３・・を束ねて、ライト３１側では、光ファイバー６３，６３・・の端部を寄せ集めてライト３１と対峙可能に保持する受光部６４を形成し、前方への照射側では、光ファイバー６３，６３・・の端部を左右方向に並べて保持する投光部６５を形成しているので、ライト３１からの光を受光部６４で効率よく受けて投光部６５へ導くことができると共に、幅広の投光部６５による効果的な照明が可能となる。
【００３０】
なお、光ファイバーケーブル６２の投光部６５は、上記形態に限らず、上側部４６の前面でも揺動板５３の右側に設けたり、下側に設けたり等、被加工面を照射可能であれば適宜変更できる。
また、本体ケース４１の前面に設ける構造に限らず、図７〜９に示すように、本体ケース４１の後側部４５内で光ファイバーケーブル６２を分岐させて左右に２本ずつ引き回して、後側部４５の左右の側面に、２本の光ファイバー６３，６３が上下に並ぶ投光部６６，６６を、それぞれ外方へ張り出させて上向きに設けることも可能である。但し、左右の側面でなく何れか一方の側面のみに光ファイバーケーブルを引き回して４本の光ファイバーを上下に並べて保持する投光部を形成してもよい。
このように光を導く位置を本体ケース４１の少なくとも左右何れか一方側とすれば、本体ケース４１の扱いの邪魔にならない位置から光を照射することができる。
【００３１】
一方、光ファイバーの数は上記形態に限らず、上記形態より多くても少なくてもよい。光ファイバーが１本の場合でも端部は受光部及び投光部として突出形成できる。
また、受光部及び投光部は、上記形態や変更例に限らず、ハンマードリルのライトの位置に合わせて受光部の位置を変更したり、本体ケースの前面と側面とにそれぞれ光ファイバーケーブルを分岐させて投光部を形成したりすることができる。投光部を本体ケースから出没可能に設けることもできるし、ダストボックスの位置や形状によっては投光部を本体ケースの下面に設けることもできる。
さらに、導光手段としては光ファイバーによるものに限らず、本体ケース内に光が通過可能な通路を設けて鏡やプリズム等で本体ケースの前面や側面に導いてもよいし、ハンマードリルのライトから本体ケースの前面まで直線の通路が形成可能であれば、鏡等を用いることなく通路自体を導光手段としてもよい。この場合、通路の出口にはレンズを用いることも可能である。
【００３２】
そして、集塵装置自体の構造も、吸引力をハンマードリルのファンから得る上記形態に限らず、本体ケース内に集塵用モータ及びファンを備えてハンマードリルとの結合部分に互いに接続する端子を設け、ハンマードリルから電源を得て作動させるものであっても本発明は適用可能である。集塵部も着脱可能なダストボックスに限らず、本体ケース内にフィルタ及び開閉蓋を有する集塵室を一体に形成しても差し支えない。
その他、ハンマードリルの形態も、ライトの位置、モータの向きや種類、打撃機構の形態等を適宜変更できる。ＡＣ機でなくバッテリーパックを装着するＤＣ機であってもよい。勿論ハンマードリルに限らず、照明部を備えて集塵装置を装着可能であれば、電動ドリル等の他の機種であっても本発明は適用可能である。
【符号の説明】
【００３３】
１・・ハンマードリル、２・・本体ハウジング、３・・モータハウジング、４・・モータ、５・・出力軸、１０・・ツールホルダ、２３・・ファン収容室、２４・・ファン、２５・・上側吸気口、２９・・膨出部、３０・・傾斜部分、３１・・ライト、３２・・コントローラ、４０・・電動工具用集塵装置、４１・・本体ケース、４２・・ダストボックス、４３・・スライド部、４４・・ノズル、４５・・後側部、４６・・上側部、５０・・凹部、５１・・傾斜内面、６２・・光ファイバーケーブル、６３・・光ファイバー、６４・・受光部、６５，６６・・投光部、７２・・フレキシブルホース、７３・・吸込口、７７・・ボックス本体、７９・・蓋体、８０・・フィルタ収納部、８１・・フィルタ、８２・・装置側排気口、９２・・集塵室、Ｒ１・・集塵経路、Ｒ２・・吸気経路、Ｔ・・先端工具。
【図１】
2019181605.tif 000003
【図２】
2019181605.tif 000004
【図３】
2019181605.tif 000005
【図４】
2019181605.tif 000006
【図５】
2019181605.tif 000007
【図６】
2019181605.tif 000008
【図７】
2019181605.tif 000009
【図８】
2019181605.tif 000010
【図９】
2019181605.tif 000011